(57)【要約】【課題】  隠蔽ラベルを用いて、剥がして貼り込む際、ラベルの貼る位置が曲がったり、外れることがなく、個人情報等を盗み見たとしても、その証拠が露出し、元通りにならず、開封履歴の機能をもつセキュリティ性が高く、簡単に個人情報を隠蔽でき、製造コストも高くなく、実用性の高い隠蔽はがきを提供する。【解決手段】  第１の基材の第１Ａ基材と第２の基材の第２Ａ基材部とが接着剤Ｘにより重ね合わせられ、第１の基材の第１Ｂ基材と第２の基材の第２Ｂ基材部とが接着剤Ｙと接着剤Ｚとを接着箇所を分けて、重ね合わせられた隠蔽はがきであり、該第１Ａ基材と第１Ｂ基材とが間隔をおいて分離し、かつ第２の基材が第２Ａ基材部と第２Ｂ基材部とが折り線を介して区分けされ、該第１Ａ基材部の裏面の一部分に剥離処理が施され、該剥離処理の施された部分と施されていない部分の境界に、第１Ａ基材部に切取り予定線が加工されている。【選択図】      図１
2008030319.tif 000002
【特許請求の範囲】
【請求項１】
第１の基材の第１Ａ基材と第２の基材の第２Ａ基材部とが接着剤Ｘにより、重ね合わせられ、第１の基材の第１Ｂ基材と第２の基材の第２Ｂ基材部とが接着剤Ｙと接着剤Ｚとを接着箇所を分けて、使用して重ね合わせられた隠蔽はがきにおいて、該第１の基材の第１Ａ基材と第１Ｂ基材とが間隔をおいて分離しており、かつ第２の基材が第２Ａ基材部と第２Ｂ基材部とが折り線を介して区分けされたもので、該第１Ａ基材部の裏面（接着剤Ｘと接する面）の一部分に剥離処理が施され、該剥離処理の施された部分と施されていない部分の境界において、第１Ａ基材部に切取り予定線が加工され、かつ該切取り予定線を境にして第１Ａ−ａ基材部と第１Ａ−ｂ基材部が隣接し、前記接着剤Ｘは強接着剤であり、接着剤Ｙは剥離可能で、再接着再剥離可能である擬似接着剤であり、接着剤Ｚは強粘着剤であり、配送時は第１Ｂ基材を接着剤Ｙ及び接着剤Ｚから剥がして、前記の折り線で折り畳んで、第１Ａ基材部の表面に記入した個人情報を、隠蔽するように、接着剤Ｙ及び接着剤Ｚを介して、第１Ａ基材部と第２Ｂ基材部とを接着し、かつ接着剤Ｚが第１Ａ−ｂ基材部と接着し、接着剤Ｙが第１Ａ−ａ基材部と接着し、配送先の隠蔽はがきを受領した後に、第１Ａ基材部の剥離処理部から第２Ｂ基材部を剥離すると、接着剤Ｚは第１Ａ基材部及び第２Ｂ基材部と強固に接着した状態で、接着剤Ｘが剥離処理部から剥がれ、かつ第１Ａ基材部の切取り予定線で切断し、第１Ａ−ａ基材部が接着剤Ｙから剥がれ、第１Ａ基材部と第２Ｂ基材部が分離して、第１Ａ基材部の個人情報が視認可能であることを特徴とする隠蔽はがき。
【請求項２】
前記の第１Ａ基材部の剥離処理部をパターン状に印刷して、該パターンが印刷されていない部分が第２基材部と接着剤Ｘで接着し、剥がす際に第１基材部あるいは第２基材部が破壊して、該剥離処理部の有色と、前記破壊部とのコントラストにより、開封済であることを示すことを特徴とする請求項１に記載の隠蔽はがき。
【請求項３】
前記の第１Ａ基材部の剥離処理部と第１Ａ基材部との間に、あるいは第２Ａ基材部の接着剤Ｘと接する面で、前記剥離処理部の下に位置する箇所に、開封済を示す印刷が施されており、前記個人情報の視認後、前記開封済を示す印刷部が露出することを特徴とする請求項１に記載の隠蔽はがき。
【請求項４】
前記の第１の基材と第２の基材の少なくとも一方において、地紋印刷が設けられて、該基材部に記入された個人情報が透けて見えないようにしたことを特徴とする請求項１〜３のいずれかに記載の隠蔽はがき。
【発明の詳細な説明】
【技術分野】
【０００１】
本発明は、開封履歴機能を有した隠蔽はがきに関し、特に個人情報等を隠蔽することが確実にでき、もし悪用して該個人情報等を盗み見たとしても、その証拠が露出して、元通りにはならない、開封履歴の機能を有した隠蔽はがきに関するものである。
【背景技術】
【０００２】
住所変更届や資料申込み等、個人がサービス業者等に対して申請をしたり、申込みを行ったりする場合に、本人を特定するための個人情報の記載が必要となっている。
しかし、個人情報保護意識の高まりもある中で、個人情報部分について隠蔽して保護する何の配慮のない申込書では、申込み自体を断念してしまうことがあり得る。また、申込者自身が封筒と切手を別に用意して、それを用いて申込書を同封して送る、ということもある。前者ではサービス業者として売上げ減少につながり、後者では顧客満足度の低下につながる可能性があり、前述した届出書や申込書には何らかの個人情報を保護する工夫が必要不可欠となってきている。
【０００３】
そこで、近年特に需要が多いのが、再剥離再貼付糊を利用した情報隠蔽はがきである（例えば、特許文献１）。それまで付箋としてしか使用されていなかった再剥離再貼付糊を利用し、再剥離再貼付糊の設けられた隠蔽ラベル片を個人情報欄に重ね合わせて一時的な隠蔽を図るものである。
個人がサービス業者に申込みをする、という場面では、最終的にサービス業者内で開封されて、個人情報が目視されるものであるため、再剥離再貼付糊を利用した隠蔽ラベルはある意味では非常に合理的な隠蔽ラベルと言え、利用範囲が広がってきている。
【０００４】
以上のような隠蔽はがきでは、そのはがきの個人情報の記入された部分を隠蔽するために、そのはがきとは別個にある隠蔽ラベルを、その個人情報の記入部に貼り付けたり、あるいはそのはがきの個人情報の記入部ではない位置に、予め隠蔽ラベルを貼付しておき、個人情報を記入後、その隠蔽ラベルを剥がして、個人情報の記入部に貼り付けて、個人情報を隠蔽していた。
【０００５】
上記のいずれの場合でも、隠蔽ラベルを、剥がして、所定の個人情報の記入欄に位置合せをして、貼り付ける手間が必要である。隠蔽ラベルの大きさにもよるが、該ラベルを貼る位置が曲がったり、外れた場合に、個人情報欄の全体を隠蔽できずに、部分的に該情報が見えてしまう問題が生じてしまう。また、上記の再剥離再貼付糊の設けられた隠蔽ラベルでは、何度も貼り直しが出来てしまうので、悪用して隠蔽している個人情報等を盗み見て、また元通りにすることは可能である。
【０００６】
また、隠蔽ラベルを情報記載欄に隣接させ、その情報記載欄に対し、隠蔽ラベルを折り曲げて貼り付けることで、隠蔽することが行なわれている。しかし、この形態だけでは、隠蔽されている情報等を盗み見たとしても、またラベルを貼り合わせて、元に戻すことが可能であり、セキュリティ性が不十分である問題がある。
【０００７】
それに対して、例えば特許文献２にあるような変更の形跡を表示出来るラベルとして、透明表面材上に、透明な剥離剤塗膜、透明プライマー、破砕性の可視金属層、接着剤層、ライナーを順に設けたラベルが提案され、そのラベルを物体に貼り付けると、剥離剤塗膜と透明表面材との間で破断し、貼り付けられたラベル側に、可視金属層が現れるものである。しかし、このラベルでは金属層を設ける際に、蒸着方式の特別な装置が必要であったり、また金属層を構成する材料が高価であったり、隠蔽はがきには不向きであり、実用性が低いものである。
【特許文献１】特開２００４−１０２１８８号公報
【特許文献２】特開平３−１０２８２号公報
【発明の開示】
【発明が解決しようとする課題】
【０００８】
したがって、本発明は、個人情報等を盗み見たとしても、その証拠が露出して、元通りにはならなく、開封履歴の機能を有したセキュリティ性が高く、簡単に個人情報を隠蔽することができ、また製造上のコストも高くなく、実用性の高い隠蔽はがきを提供することを目的とする。
【課題を解決するための手段】
【０００９】
以上の状況を鑑み、鋭意研究開発を進め、本発明に到った。すなわち、請求項１に記載の発明は、第１の基材の第１Ａ基材と第２の基材の第２Ａ基材部とが接着剤Ｘにより、重ね合わせられ、第１の基材の第１Ｂ基材と第２の基材の第２Ｂ基材部とが接着剤Ｙと接着剤Ｚとを接着箇所を分けて、使用して重ね合わせられた隠蔽はがきにおいて、該第１の基材の第１Ａ基材と第１Ｂ基材とが間隔をおいて分離しており、かつ第２の基材が第２Ａ基材部と第２Ｂ基材部とが折り線を介して区分けされたもので、該第１Ａ基材部の裏面（接着剤Ｘと接する面）の一部分に剥離処理が施され、該剥離処理の施された部分と施されていない部分の境界において、第１Ａ基材部に切取り予定線が加工され、かつ該切取り予定線を境にして第１Ａ−ａ基材部と第１Ａ−ｂ基材部が隣接し、前記接着剤Ｘは強接着剤であり、接着剤Ｙは剥離可能で、再接着再剥離可能である擬似接着剤であり、接着剤Ｚは強粘着剤であり、配送時は第１Ｂ基材を接着剤Ｙ及び接着剤Ｚから剥がして、前記の折り線で折り畳んで、第１Ａ基材部の表面に記入した個人情報を、隠蔽するように、接着剤Ｙ及び接着剤Ｚを介して、第１Ａ基材部と第２Ｂ基材部とを接着し、かつ接着剤Ｚが第１Ａ−ｂ基材部と接着し、接着剤Ｙが第１Ａ−ａ基材部と接着し、配送先の隠蔽はがきを受領した後に、第１Ａ基材部の剥離処理部から第２Ｂ基材部を剥離すると、接着剤Ｚは第１Ａ基材部及び第２Ｂ基材部と強固に接着した状態で、接着剤Ｘが剥離処理部から剥がれ、かつ第１Ａ基材部の切取り予定線で切断し、第１Ａ−ａ基材部が接着剤Ｙから剥がれ、第１Ａ基材部と第２Ｂ基材部が分離して、第１Ａ基材部の個人情報が視認可能であることを特徴とする。そして、その後に剥離処理部と接着剤Ｘとは再接着できないものである。
【００１０】
請求項２に記載の発明は、請求項１に記載の第１Ａ基材部の剥離処理部をパターン状に印刷して、該パターンが印刷されていない部分が第２基材部と接着剤Ｘで接着し、剥がす際に第１基材部あるいは第２基材部が破壊して、該剥離処理部の有色と、前記破壊部とのコントラストにより、開封済であることを示すことを特徴とする。また、請求項３に記載の発明は、請求項１に記載の第１Ａ基材部の剥離処理部と第１Ａ基材部との間に、あるいは第２Ａ基材部の接着剤Ｘと接する面で、前記剥離処理部の下に位置する箇所に、開封済を示す印刷が施されており、前記個人情報の視認後、前記開封済を示す印刷部が露出することを特徴とする。また、請求項４に記載の発明は、請求項１〜３のいずれかに記載の第１の基材と第２の基材の少なくとも一方において、地紋印刷が設けられて、該基材部に記入された個人情報が透けて見えないようにすることが好ましい。
【発明の効果】
【００１１】
本発明の隠蔽はがきは、第１の基材の第１Ａ基材と第２の基材の第２Ａ基材部とが接着剤Ｘにより、重ね合わせられ、第１の基材の第１Ｂ基材と第２の基材の第２Ｂ基材部とが接着剤Ｙと接着剤Ｚとを接着箇所を分けて、使用して重ね合わせられた構成であり、該第１の基材の第１Ａ基材と第１Ｂ基材とが間隔をおいて分離しており、かつ第２の基材が第２Ａ基材部と第２Ｂ基材部とが折り線を介して区分けされたもので、該第１Ａ基材部の裏面（接着剤Ｘと接する面）の一部分に剥離処理が施され、該剥離処理の施された部分と施されていない部分の境界において、第１Ａ基材部に切取り予定線が加工され、かつ該切取り予定線を境にして第１Ａ−ａ基材部と第１Ａ−ｂ基材部が隣接し、前記接着剤Ｘは強接着剤であり、接着剤Ｙは剥離可能で、再接着再剥離可能である擬似接着剤であり、接着剤Ｚは強粘着剤であり、配送時は第１Ｂ基材を接着剤Ｙ及び接着剤Ｚから剥がして、前記の折り線で折り畳んで、第１Ａ基材部の表面に記入した個人情報を、隠蔽するように、接着剤Ｙ及び接着剤Ｚを介して、第１Ａ基材部と第２Ｂ基材部とを接着し、かつ接着剤Ｚが第１Ａ−ｂ基材部と接着し、接着剤Ｙが第１Ａ−ａ基材部と接着し、配送先の隠蔽はがきを受領した後に、第１Ａ基材部の剥離処理部から第２Ｂ基材部を剥離すると、接着剤Ｚは第１Ａ基材部及び第２Ｂ基材部と強固に接着した状態で、接着剤Ｘが剥離処理部から剥がれ、かつ第１Ａ基材部の切取り予定線で切断し、第１Ａ−ａ基材部が接着剤Ｙから剥がれ、第１Ａ基材部と第２Ｂ基材部が分離して、第１Ａ基材部の個人情報が視認可能となるものである。そして、その個人情報を視認後に、剥離処理部と接着剤Ｘとは再接着できないものであり、元通りの接着した状態にならない。したがって、個人情報等を盗み見たとしても、その剥離処理部と接着剤Ｘとは再接着できない点が、その隠蔽はがきの開封履歴の機能である。個人情報を視認後に、元通りのように接着剤Ｘを剥離処理部と接着させようとしても、剥離処理部と接着剤Ｘとは再接着できないので、さらに第１Ａ基材部の切取り予定線が切断されているので、いったん開封したものであることが一目瞭然であり、元通りにはならない。このようにセキュリティ性が高く、簡単に個人情報を隠蔽することができ、また製造上のコストも高くなく、実用性の高いものである。
【００１２】
また、本発明の隠蔽はがきは、上記の第１Ａ基材部の剥離処理部をパターン状に印刷して、該パターンが印刷されていない部分が第２基材部と接着剤Ｘで接着し、剥がす際に第１基材部あるいは第２基材部が破壊して、該剥離処理部の有色と、前記破壊部とのコントラストにより、開封済であることを示すことができる。この開封済であることを示す点は、切取り予定線の部分の基材部の破壊を伴っていること、また接着剤Ｚが第１Ａ−ｂ基材部及び第２Ｂ基材部と強固に接着した状態で、接着剤Ｘが剥離処理部から剥がれ、かつ第１Ａ基材部の切取り予定線で切断し、元通りのように接着剤Ｘを剥離処理部と接着しようとしても、剥離処理部と接着剤Ｘとは再接着できないことと合わせて、いったん開封したものであることが一目瞭然であり、元通りにはならない。これにより、セキュリティ性がより高いものとなる。
【００１３】
また、本発明の隠蔽はがきは、上記の第１Ａ基材部の剥離処理部と第１Ａ基材部との間に、あるいは第２Ａ基材部の接着剤Ｘと接する面で、前記剥離処理部の下に位置する箇所に、開封済を示す印刷が施されており、前記個人情報の視認後、前記開封済を示す印刷部が露出することができる。配送時は第１Ａ基材部の表面に記入した個人情報が、接着剤Ｙの設けられた第２Ｂ基材部により隠蔽され、また配送先では隠蔽はがきを受領後に、第１Ａ基材部の表面に記入した個人情報を視認する際、第１Ａ基材部の剥離処理部と、第２Ｂ基材部の接着剤Ｚが設けられた部分とが第１Ａ基材部を間にして、同じ箇所に存在するので、第１Ａ基材部の切取り予定線で切断して、接着剤Ｘと剥離処理部の間で剥離し、かつ同時に第１Ａ基材部の剥離処理部と第１Ａ基材部との間、あるいは第２Ａ基材部の接着剤Ｘと接する面で、前記剥離処理部の下に位置する箇所に、開封済を示す印刷が施されており、前記開封済を示す印刷部が露出する。この開封済を示す印刷部の露出する点と、上記の第１Ａ基材部の切取り予定線が切断されている点を合わせもち、セキュリティ性がより高いものである。
【発明を実施するための最良の形態】
【００１４】
以下に、本発明の隠蔽はがきについて、実施例に基づいて、詳しく説明する。
【実施例】
【００１５】
図１は、本発明の隠蔽はがき１の一つの実施形態を示す概略図であり、図１ａ）は隠蔽はがき１が配送（郵送）して使用する前の第１の基材４、第２の基材５とが接着剤Ｘ（７）、接着剤Ｙ（８）、接着剤Ｚ（９）や、折り線３、切取り予定線６等で構成され、また図１ａ）から図１ｂ）までは、図１ａ）で示した隠蔽はがきが、第１Ｂ基材を接着剤Ｙ（８）及び接着剤Ｚ（９）から剥がして、折り線３で折り畳んで、接着剤Ｙ（８）及び接着剤Ｚ（９）を介して、第１Ａ基材部と第２Ｂ基材部とを接着した状態になることを説明するための概略図である。
【００１６】
図１ａ）において、第１の基材４の第１Ａ基材と第２の基材５の第２Ａ基材部とが接着剤Ｘ（７）により、重ね合わせられ、第１の基材４の第１Ｂ基材と第２の基材５の第２Ｂ基材部とが接着剤Ｙ（８）と接着剤Ｚ（９）とを接着箇所を分けて、使用して重ね合わせられた隠蔽はがき１であり、第１Ａ基材と第１Ｂ基材とが間隔２をおいて分離しており、かつ第２の基材５が第２Ａ基材部と第２Ｂ基材部とが折り線３を介して区分けされた形態であり、第１Ａ基材部の裏面（接着剤Ｘと接する面）の一部分に剥離処理１０が施され、該剥離処理の施された部分と施されていない部分の境界において、第１Ａ基材部に切取り予定線６が加工されている。尚、切取り予定線６を境にして、第１Ａ基材部は、第１Ａ−ａ基材部と第１Ａ−ｂ基材部が隣接されたものとなっている。
【００１７】
図１ｂ）に示すように、配送する時は第１Ｂ基材を接着剤Ｙ及び接着剤Ｚから剥がして、前記の折り線で折り畳んで、第１Ａ基材部の表面に記入した個人情報１１を、隠蔽するように、接着剤Ｙ及び接着剤Ｚを介して、第１Ａ基材部と第２Ｂ基材部とを接着し、かつ接着剤Ｚが第１Ａ−ｂ基材部と接着し、接着剤Ｙが第１Ａ−ａ基材部と接着した形態の隠蔽はがきで、郵送手段がとられる。郵送途中や取り扱い中に、第１Ａ基材部の表面に記入した個人情報１１が透けて見えないように、例えば、第２Ａ基材部の接着剤Ｘと接する面、及び／または第１Ａ基材部の接着剤Ｘと接する面、及び／または第２Ｂ基材部の接着剤Ｙ、Ｚと接する面、及び／または接しない面に地紋印刷を施すことが好ましい。尚、第２Ａ基材部の接着剤Ｘと接しない面には、郵送（配送）先の住所、宛先や、料金受取人払等が印刷あるいは印字されている。
【００１８】
また、図示してはいないが、第１Ａ基材部の剥離処理部１０を、「ＶＯＩＤ」の文字パターンが非印刷部となるように、言い換えると「ＶＯＩＤ」の文字パターンが抜き文字になるように、つまりネガパターンになるように印刷して、該パターンが印刷されていない部分（非印刷部）が第２基材部と接着剤Ｘで接着し、剥がす際に第１基材部あるいは第２基材部が破壊して、該剥離処理部１０の有色（例えば赤色）と、前記破壊した部分（基材の紙色）とのコントラストにより、「ＶＯＩＤ」の文字パターンが明瞭に現出し、開封済であることを明らかにすることができる。また、接着剤Ｘを剥離処理部から、いったん剥がした後は、剥離処理部と接着剤Ｘとは再接着が不可能となる。尚、接着剤Ｘ（７）を剥離処理部１０から剥がす際、接着剤Ｚ（９）は第１Ａ−ｂ基材部及び第２Ｂ基材部と強固に接着した状態を維持するものである。（図１ｃ）を参照）
【００１９】
また、図示してはいないが、第１Ａ基材部の剥離処理部１０と第１Ａ基材部との間に、あるいは第２Ａ基材部の接着剤Ｘと接する面に、開封済を示す「ＶＯＩＤ」等の注意を喚起する文字を、例えば紺色で、印刷することもできる。この場合は、配送時は第１Ａ基材部の表面に記入した個人情報１１が、接着剤Ｙの設けられた第２Ｂ基材部により隠蔽され、また配送先では隠蔽はがきを受領後、第１Ａ基材部の表面に記入した個人情報を視認する際、第１Ａ基材部の剥離処理部と、第２Ｂ基材部の接着剤Ｚが設けられた部分とが第１Ａ基材部を間にして、同じ箇所に存在するので、第１Ａ基材部の切取り予定線で切断して、接着剤Ｘと剥離処理部の間で剥離し、かつ同時に第１Ａ基材部の剥離処理部と第１Ａ基材部との間、あるいは第２Ａ基材部の接着剤Ｘと接する面で、剥離処理部の下に位置する箇所に、開封済を示す印刷が施されており、その開封済を示す印刷部が露出する。また、接着剤Ｘを剥離処理部から、いったん剥がした後は、剥離処理部と接着剤Ｘとは再接着が不可能となる。尚、接着剤Ｘ（７）を剥離処理部１０から剥がす際、接着剤Ｚ（９）は第１Ａ−ｂ基材部及び第２Ｂ基材部と強固に接着した状態を維持するものである。（図１ｃ）を参照）
【００２０】
また、第２の基材５に設けられた折り線３は、ミシン目であったり、スジ押しであったり、あるいは点線を印刷して形成したり、また上記の加工、印刷を全く施さないで、第１Ｂ基材を接着剤Ｙ及び接着剤Ｚから剥がし、折り線３の部分で（第１Ａ基材部と第２Ａ基材部を合わせた部分と、第２Ｂ基材部からなる部分の段差の部分を目安として）折り畳むことも可能である。この折り線３は、その線上で、第２の基材５を折りやすくしたり、あるいは第２の基材５を折る際の目安の部分である。また、図示はしていないが、１Ｂ面の接着剤Ｙ、Ｚと接する面あるいは接しない面、あるいは２Ｂ面の接着剤Ｙ、Ｚと接しない面には、適当な広告を印刷することができる。また、１Ｂ面の接着剤Ｙ、Ｚと接しない面には、その隠蔽はがきを差し出す人、すなわち届出者や申込者が、その該当者の個人情報を記入しやすくするための記入例を印刷することが好ましい。また、１Ｂ面の接着剤Ｙ、Ｚと接しない面には、個人情報を記入後に、その情報を隠蔽するため、第１Ｂ基材部を第２Ｂ基材部から剥がして、折り線で折り畳んで、接着剤Ｙ及び接着剤Ｚを介して、第１Ａ基材部と第２Ｂ基材部とを接着させることを、判り易く説明する文章や、参照図を印刷することが好ましい。また、第１Ａ基材部の表面（接着剤Ｘと接しない側）には、その該当者の個人情報を記入するための、レイアウトや説明書きを印刷することが好ましい。
【００２１】
本発明の隠蔽はがきは、枚葉（シート）状の形態で、使用されるが、隠蔽はがきを製造する工程で、例えば第２の基材５は、両端にマージナルパンチ加工が施された連続フォームの形態で製造し、第１の基材４は、第１Ａ基材部と第１Ｂ基材部が、両方とも片側（間隔２がある側と反対側）にマージナルパンチ加工が施された連続フォームの形態で製造し、第２の基材５側に、接着剤Ｘ（７）、接着剤Ｙ（８）、接着剤Ｚ（９）を設ける場所を分けて、連続塗工し、第１Ａ基材部と第１Ｂ基材部の連続フォームを重ね合わせて接着することができる。尚、第２の基材５と第１の基材４の第１Ａ基材部と第１Ｂ基材部の連続フォームを重ね合わせる際、対応するマージナルパンチを合わせて丁合していく。第２の基材５の幅と、第１Ａ基材部の幅及び第１Ｂ基材部の幅を調整することにより、第１Ａ基材と第１Ｂ基材とが間隔をおいて分離した状態で丁合することができる。
【００２２】
上記の第１の基材４と第２の基材５による２パートの連続フォーム形態から、はがきサイズの間隔で連続的にシートカットして、シート状の隠蔽はがきを製造することができる。尚、上記のシートカットの工程とインラインで連続フォームのマージナルパンチを含む両側を切断する。これにより、シート状の隠蔽はがきを製造することができる。上記の第１Ａ基材部と第１Ｂ基材部と第２の基材５を重ね合わせて接着する際に、第１Ａ基材部と第１Ｂ基材部とは、互いに間隔をおいて分離しているもので、その間隔は０〜２ｍｍ程度である。本発明では、特許請求の範囲の請求項１で、第１Ａ基材と第１Ｂ基材とが間隔をおいて分離している条件を規定しているが、この間隔を分離していることは、第１Ａ基材と第１Ｂ基材とが連結した基材から、第１の基材４と第２の基材５が重ね合って接着している状態で、第１の基材４のみを切断する、いわゆるハーフカット処理を行って、第１Ａ基材と第１Ｂ基材とを分離させるものも、上記の本発明で規定する間隔をおいて分離している条件に入るものとする。
【００２３】
上記に説明した第１の基材４と第２の基材５とが、接着剤Ｘ（７）、接着剤Ｙ（８）、接着剤Ｚ（９）を使用して、重ね合わせられている。この接着剤Ｘは強接着剤であり、一旦接着させた後に、第１の基材４の第１Ａ基材部と、第２の基材５の第２Ａ基材部とを剥離することが困難である。さらに接着剤Ｘは、第１Ａ基材と第２Ａ基材部とが重ね合わせられた状態から、剥離処理部で剥がせるが、いったん剥がした後は、剥離処理部と接着剤Ｘとは再接着が不可能となる。また接着剤Ｙは剥離可能で、再接着再剥離可能である擬似接着剤であり、すなわち、一旦接着した後に、剥離可能であり、またその剥離された接着剤Ｙを利用して（ラベルとして）、個人情報１１が記入された第１Ａ基材部の表面に再接着することができるものである。また接着剤Ｚは強粘着剤であり、第１Ｂ基材部を剥がして、第１Ａ基材部と接着した後に、その接着剤Ｚと第１Ａ基材部及び第２Ｂ基材部との接着力が、接着剤Ｘと第１Ａ基材部の剥離処理部１０との接着力よりも大きい条件である。
【００２４】
但し、上記の接着剤Ｙ及び接着剤Ｚが重ね合わせられる第１Ｂ基材部の接着剤と接する面には、離型処理が予め施される。また、上記のように接着剤Ｙ及び接着剤Ｚは、発揮する機能が異なるものであり、上記の離型処理について、接着剤Ｚに接する部分の方が、接着剤Ｙに接する部分の離型処理よりも、より離型しやすい条件にすることが望ましい。但し、接着剤Ｚに接する部分の離型処理と、接着剤Ｙに接する部分の離型処理を同等にすることも可能である。上記の離型しやすい条件にする場合、例えば、離型処理のための離型剤について、シリコーンオイルの含有割合を多くしたり、離型性の高いシリコーンオイルの種類を選定したりする。このように、離型処理の材料を変えたものを用いて、第１Ｂ基材部において、離型効果の高い材料が塗工される部分は、接着剤Ｚの塗工部分と接触するように、また離型効果の劣る材料が塗工される部分は、接着剤Ｙの塗工部分と接触するように、位置合わせを行いながら、第１の基材４と第２の基材５の丁合を行なう必要がある。
【００２５】
以上、隠蔽はがきについて、本発明を説明したが、郵便で配達するはがきの用途に限らず、届出書、申込書や、アンケート用紙等で、個人情報を記入した後に、相手先に手渡ししたり、回収箱に入れられるようなものでも、本発明が適用できる。
【図面の簡単な説明】
【００２６】
【図１】本発明の隠蔽はがきの一つの実施形態を示す概略図である。
【符号の説明】
【００２７】
１      隠蔽はがき
２      間隔
３      折り線
４      第１の基材
５      第２の基材
６      切り取り予定線
７      接着剤Ｘ
８      接着剤Ｙ
９      接着剤Ｚ
１０      剥離処理部
１１      個人情報を記入した欄
【図１】
2008030319.tif 000003